(57)【特許請求の範囲】
【請求項１】
合成樹脂製の縦糸と横糸を交差させて各交差部分を固着した土木用網体の接続構造であって、接続すべき双方の土木用網体の端部をそれぞれ折返し、この折返した端部を土木用網体に重ねて挟着具で挟着固定すると共に、双方の土木用網体の折返し部分の縦糸の内側に金属棒を通したことを特徴とする土木用網体の接続構造。
【請求項２】
前記の挟着具として、土木用網体の縦糸と同じ間隔でボルト挿通孔を形成した上下二枚の帯状の板金と、これらの板金を固定するボルト及びナットを使用し、前記の折返した端部が土木用網体に重ねられた部分を上下二枚の板金で挟み込むと共に、網目を通してボルトとナットで上下二枚の板金を締付けることにより挟着固定したことを特徴とする請求項１に記載の接続構造。
【請求項３】
前記のボルトを予め下側の板金のボルト挿通孔に下方から挿入して溶接固定したことを特徴とする請求項２に記載の接続構造。
【発明の詳細な説明】
【０００１】
【発明の属する技術分野】
本発明は、合成樹脂製の土木用網体の簡易な接続構造に関する。
【０００２】
【従来の技術】
本出願人は、合成樹脂製の縦糸と横糸をそれぞれの交差部分で固着した土木用網体を数年前に開発した。この土木用網体は強度、特に引張強度が大きいため、例えば道路、造成地等の地盤の補強や、軟弱地盤の沈下を防止するために、地中に埋設されて使用されている。
【０００３】
【発明が解決しようとする課題】
ところで、上記の土木用網体を接続して地中に埋設する場合、これまでは、双方の土木用網体の端部を重ね合わせて丈夫な合成樹脂糸等で縫合する方法などが一般に採用されているようであるが、かかる接続方法は面倒で手間がかかり、接続強度も網体本来の引張り強度を発揮させるには充分でないという問題があった。
【０００４】
本発明は上記の問題に対処すべくなされたもので、その目的とするところは、土木用網体を簡単かつ確実に接続できる、接続強度の大きい接続構造を提供することにある。
【０００５】
【課題を解決するための手段】
上記目的を達成するため、請求項１に係る発明は、合成樹脂製の縦糸と横糸を交差させて各交差部分を固着した土木用網体の接続構造であって、接続すべき双方の土木用網体の端部をそれぞれ折返し、この折返した端部を土木用網体に重ねて挟着具で挟着固定すると共に、双方の土木用網体の折返し部分の縦糸の内側に金属棒を通したことを特徴とするものである。
【０００６】
このような土木用網体の接続構造とすれば、土木用網体の端部の折返し作業と、折返した端部の挟着具による挟着固定作業と、折返し部分の縦糸内側への金属棒の挿通作業を行うだけで、簡単かつ確実に双方の土木用網体を接続することが可能となる。しかも、この接続構造では、金属棒が折れたり、土木用網体の折返し部分の全ての縦糸が切断したり、挟着具が外れたりしない限り、双方の土木用網体は分離しないので、接続強度が大きい。
【０００７】
次に、請求項２に係る発明は、上記請求項１の発明において、その挟着具として、土木用網体の縦糸と同じ間隔でボルト挿通孔を形成した上下二枚の帯状の板金と、これらの板金を固定するボルト及びナットを使用し、前記の折返した端部が土木用網体に重ねられた部分を上下二枚の板金で挟み込むと共に、網目を通してボルトとナットで上下二枚の板金を締付けることにより挟着固定したことを特徴とするものである。
【０００８】
このような接続構造では、土木用網体の折返した端部が重ねられた部分を挟み込む上下二枚の板金を、網目を通してボルトとナットで締付けるだけの作業によって、簡単かつ強固に土木用網体の折返した端部を挟着固定することができる。
【０００９】
次に、請求項３に係る発明は、上記請求項２の発明において、そのボルトを予め下側の板金のボルト挿通孔に下方から挿入して溶接固定したことを特徴とするものである。
【００１０】
このような接続構造では、下側の板金のボルト挿通孔にボルトを通す作業や、ナットを螺締する際にボルトが回らないよう固定する作業が不要となり、上側の板金のボルト挿通孔に、下側の板金に溶接固定されたボルトを一斉に挿入し、各ボルトにナットを螺締するだけの作業で、効率良く挟着固定することができるため、作業性が一層向上して短時間で土木用網体の接続を行うことが可能となる。
【００１１】
【発明の実施の形態】
以下、図面を参照して本発明の具体的な実施形態を詳述する。
【００１２】
図１は本発明の一実施形態に係る土木用網体の接続構造を示す平面図、図２は同接続構造の拡大断面図、図３は同接続構造の拡大部分斜視図、図４は同接続構造に用いる挟着具の分解図、図５は土木用網体の縦糸の断面図である。
【００１３】
図１〜図３において、１は土木用網体を示しており、この土木用網体１は、長方形の網目を形成するように縦糸１ａと横糸１ｂを所定間隔をあけて直角に交差させると共に、平織りのように交差部分で縦糸１ａと横糸１ｂの上下関係を交互に逆転させて重ね合わせ、それぞれの交差部分を熱溶着、高周波溶着、超音波溶着などの手段で固着したものである。縦糸１ａと横糸１ｂは、上記のように交差部分において上下関係を交互に逆転させないで、全ての交差部分において縦糸１ａが横糸１ｂの上側又は下側となるように重ねて固着してもよい。
【００１４】
この土木用網体１を構成する縦糸１ａ及び横糸１ｂは、図５に示すように、一軸延伸したオレフィン系樹脂よりなる芯テープ１ｃの周囲を熱可塑性樹脂の被覆膜１ｄで被覆した被覆テープからなるものである。好ましい芯テープ１ｃとしては、ポリプロピレンや超高分子ポリエチレンを帯状に溶融押出成形し、これを９０〜１４０℃の温度域で５〜２０倍（更に好ましくは７〜１０倍）に一軸延伸して得られる、厚さ０．２〜１．０ｍｍ、幅５〜２０ｍｍの延伸テープが使用される。このような芯テープ１ｃは、延伸により分子配向するため、優れた引張強度を有する。尚、芯テープ１ｃは２枚以上重ねて使用してもよい。
【００１５】
この芯テープ１ｃを被覆する被覆膜１ｄは、従来公知の種々の熱可塑性樹脂を用いて形成されるが、その中でも、誘電率の高い塩化ビニル樹脂やエチレン−酢酸ビニル共重合樹脂で形成した被覆膜１ｃは、高周波溶着の手段によって芯テープ１ｃを傷めることなく強固に溶着できる利点があるので好ましい。尚、その他の熱可塑性樹脂で形成された被覆膜１ｄも、超音波溶着や熱溶着の手段で強固に溶着できることは言うまでもない。
【００１６】
この被覆膜１ｄの表面には、図５に示すように、長さ方向にのびる凹凸皺１ｅを形成することが好ましく、このような凹凸皺１ｅを形成すると、溶着性が向上すると共にテープの縦裂けを防止できる利点がある。
【００１７】
図１〜図３に示すように、接続される双方の土木用網体１，１の端部は互いに反対方向に折返され、この折返された端部１１，１１が土木用網体１，１に重ねられて挟着具２で挟着固定されている。そして、双方の土木用網体１，１の折返し部分の縦糸１ａ，１ａの内側に金属棒３が通され、この金属棒３と折返し部分の縦糸１ａ，１ａが互いに係合している。
【００１８】
この挟着具２は、図２〜図４に示すように、上下二枚の帯状の板金２ａ，２ｂと、これらの板金を固定するボルト２ｃ及びナット２ｄから成るものであって、上下の板金２ａ，２ｂには、土木用網体１の縦糸１ａと同じ間隔でボルト挿通孔が形成されており、図４に示すように、下側の板金２ｂの各ボルト挿通孔に上記のボルト２ｃが下方から挿入されて溶接固定されている。
【００１９】
そして、この挟着具２の下側の板金２ｂを、土木用網体１の折返した端部１１が重なる部分の下側に配置し、網目を通して各ボルト２ｃを折返した端部１１の上側へ突出させると共に、上側の板金２ａのボルト挿通孔に各ボルト２ｃを一斉に挿入し、その上からナット２ｄを螺締して上下二枚の板金２ａ，２ｂで強く挟み込むことにより、折返した端部１１が強固に挟着固定されている。
【００２０】
上記のボルト２ｃは必ずしも下側の板金２ｂに溶接固定する必要はないが、この実施形態の挟着具２のようにボルト２ｃを予め溶接固定してあると、土木用ネットの接続現場で下側の板金２ｂのボルト挿通孔にボルト２ｃを通す作業や、ナット２ｄを螺締する際にボルト２ｃが回らないよう固定する作業が不要となり、上記のように上側の板金２ａのボルト挿通孔に下側の板金２ｂのボルト２ｃを一斉に挿入してナット２ｄを螺締するだけの作業で効率良く挟着固定することが可能となるので、作業性が一層向上する。
【００２１】
挟着具２の上下の板金２ａ，２ｂとしては、厚さが２〜４ｍｍ（好ましくは３ｍｍ程度）、幅が２０〜３０ｍｍ（好ましくは２５ｍｍ程度）の帯状の鉄板や鋼板が使用される。板金２ａ，２ｂの厚さが２ｍｍより薄くなり、幅が２０ｍｍより狭くなると、強度不足により板金が波状に変形して充分な挟着力を付与することが困難になるといった不都合が生じる。一方、板金２ａ，２ｂの厚さが４ｍｍより厚くなり、幅が３０ｍｍより広くなると、板金の重量が増し、コストも高くなるといった不都合を生じる。なお、板金２ａ，２ｂが土木用網体１の幅寸法よりも若干長い寸法を有するものであることは言うまでもない。また、上側の板金２ａのボルト挿通孔の間隔や下側の板金２ｂに溶接されるボルト２ｃの間隔は、土木用網体１の縦糸１ａの間隔と同一であり、一般的には１００〜１５０ｍｍの範囲内である。
【００２２】
双方の土木用網体１，１の折返し部分の縦糸１ａ，１ａの内側に通される金属棒３としては、直径が６〜１０ｍｍ程度（好ましくは８ｍｍ程度）の抗折強度や曲げ強度が大きい鉄棒や鋼棒が使用される。直径が６ｍｍよりも細い金属棒３は、強度不足により曲がる恐れがあり、１０ｍｍよりも太い金属棒３は重くてコストも高いので、いずれも好ましくない。なお、この金属棒３も、土木用網体１の幅寸法より若干長い寸法のものが使用されることは言うまでもない。
【００２３】
以上のような土木用網体の接続構造とすれば、土木用網体１の端部１１の折返し作業と、折返した端部１１の挟着具２による挟着固定作業と、折返し部分１１の縦糸１ａ内側への金属棒３の挿通作業を行うだけで、簡単かつ確実に双方の土木用網体１，１を接続することが可能となり、特に、この実施形態の挟着具２は既述したように簡単な作業で強固に挟着できるものであるから、接続作業性が一層向上する。
【００２４】
また、この土木用網体の接続構造は、金属棒３が折れたり、土木用網体１の折返し部分１１の縦糸１ａが切断したり、挟着具２が外れたりしない限り、双方の土木用網体１，１が分離することのない構造であって、既述したように、金属棒３は抗折強度や曲げ強度が大きく、縦糸１ａは引張強度が大きくて切断し難く、挟着具２は上下の板金２ａ，２ｂがボルト２ｃとナット２ｄで強固に固定されて外れ難いため、大きい接続強度を発揮することができる。
【００２５】
【発明の効果】
以上の説明から明らかなように、本発明の土木用網体の接続構造は、簡単な作業で確実に双方の土木用網体を接続することができ、作業性が良い上に、大きい接続強度を発揮できるといった顕著な効果を奏する。
【図面の簡単な説明】
【図１】本発明の一実施形態に係る土木用網体の接続構造を示す平面図である。
【図２】同接続構造の拡大断面図である。
【図３】同接続構造の拡大部分斜視図である。
【図４】同接続構造に用いる挟着具の分解図である。
【図５】土木用網体の縦糸の断面図である。
【符号の説明】
１  土木用網体
１ａ  縦糸
１ｂ  横糸
１１  土木用網体の折返した端部
２  挟着具
２ａ，２ｂ  板金
２ｃ  ボルト
２ｄ  ナット
３  金属棒
【図１】
0004609871.tif 000002
【図２】
0004609871.tif 000003
【図３】
0004609871.tif 000004
【図４】
0004609871.tif 000005
【図５】
0004609871.tif 000006